(57)【要約】【課題】運用中の回線を停止することなく信号レベル調整用の減衰器の設定を行うことができる中間配線盤およびそれを備えた伝送システムを提供する。【解決手段】本発明の中間配線盤は、第１の信号線と第２の信号線とを接続して信号を中継するための中間配線盤であって、信号のレベル調整用の減衰器を備えた端子盤を具備する。たとえば、中間配線盤１０は、第１の信号線と第２の信号線とを接続するための端子盤２０1〜２０mと、所定の減衰量の減衰器３３1〜３３j/2，３４1〜３４j/2が取り付けられたかつ端子盤２０1〜２０mから送られてくる信号を減衰器３３1〜３３j/2，３４1〜３４j/2で減衰させたのちに端子盤２０1〜２０mに送り返すための減衰器付き端子盤３０1〜３０mとを具備する。【選択図】図１
2007214616.tif 000002
【特許請求の範囲】
【請求項１】
第１の信号線と第２の信号線とを接続して信号を中継するための中間配線盤であって、
前記信号のレベル調整用の減衰器を備えた端子盤を具備することを特徴とする、中間配線盤。
【請求項２】
前記第１の信号線と前記第２の信号線とを接続するための端子盤（２０1〜２０m）と、
所定の減衰量の減衰器（３３1〜３３j/2，３４1〜３４j/2）が取り付けられた、かつ、前記端子盤から送られてくる前記信号を前記減衰器で減衰させたのちに該端子盤に送り返すための減衰器付き端子盤（３０1〜３０m）と、
を具備することを特徴とする、請求項１記載の中間配線盤。
【請求項３】
前記信号の受信レベルの規定値と送信レベルの規定値とが異なり、
前記減衰器が、前記受信レベルの規定値と前記送信レベルの規定値との差に対応する減衰量で前記信号を減衰する、
ことを特徴とする、請求項２記載の中間配線盤。
【請求項４】
前記信号の受信レベルの規定値および／または送信レベルの規定値が２つ以上設けられており、
前記減衰器付き端子盤に、前記受信レベルの規定値と前記送信レベルの規定値との差の組合せに対応する数の種類の減衰器が取り付けられている、
ことを特徴とする、請求項３記載の中間配線盤。
【請求項５】
前記減衰器付き端子盤が絶縁板（３１）を備え、
前記減衰器が、前記絶縁板の表面または裏面に取り付けられていることを特徴とする、請求項２乃至４いずれかに記載の中間配線盤。
【請求項６】
前記端子盤が、他の絶縁板（２１）と、該他の絶縁板の表面および裏面に設けられた複数本のハニカム端子（２２11a〜２２NMa，２２11b〜２２NMb）とを備え、
前記減衰器付き端子盤が、前記絶縁板の表面に設けられた複数本の他のハニカム端子（３２11〜３２4j）をさらに備え、
前記減衰器が、前記減衰器付き端子盤の異なる他のハニカム端子にそれぞれ接続された入力端子および出力端子を有し、
前記第１および第２の信号線が前記端子盤の前記他の絶縁板の裏面に設けられた異なるハニカム端子にそれぞれ接続され、
前記第１の信号線が接続されたハニカム端子と電気的に接続された前記端子盤の前記他の絶縁板の表面に設けられたハニカム端子と前記減衰器の入力端子が接続された前記減衰器付き端子盤の他のハニカム端子とがジャンパー線を介して接続されるとともに、前記第２の信号線が接続されたハニカム端子と電気的に接続された前記端子盤の前記他の絶縁板の表面に設けられたハニカム端子と前記減衰器の出力端子が接続された前記減衰器付き端子盤の他のハニカム端子とが他のジャンパー線を介して接続される、
ことを特徴とする、請求項５記載の中間配線盤。
【請求項７】
前記第１の信号線と前記第２の信号線とを接続するための端子盤（２０1〜２０m）に、前記信号を減衰するための可変減衰器が取り付けられていることを特徴とする、請求項１記載の中間配線盤。
【請求項８】
前記端子盤が、絶縁板（２１）と、該絶縁板の表面および裏面に設けられた複数本のハニカム端子（２２11a〜２２NMa，２２11b〜２２NMb）とを備え、
前記第１および第２の信号線が前記絶縁板の裏面または表面に設けられた異なるハニカム端子にそれぞれ接続され、
前記第１の信号線が接続されたハニカム端子と電気的に接続された前記絶縁板の表面または裏面に設けられたハニカム端子と前記第２の信号線が接続されたハニカム端子と電気的に接続された前記絶縁板の表面または裏面に設けられたハニカム端子との間に、前記可変減衰器が取り付けられている、
ことを特徴とする、請求項７記載の中間配線盤。
【請求項９】
受信レベルの規定値と送信レベルの規定値とが異なる信号を第１の局と第２の局との間で中継するための伝送システム（６０）であって、
前記第１の局との間で前記信号の送受信を行う第１の伝送装置（７０1）と、
前記第２の局との間で前記信号の送受信を行う第２の伝送装置（７０2）と、
前記第１の伝送装置と前記第２の伝送装置との間に設けられた中間配線盤（１０）と、
を具備し、
前記中間配線盤が、請求項１乃至８いずれかに記載の中間配線盤である、
ことを特徴とする、伝送システム。
【発明の詳細な説明】
【技術分野】
【０００１】
本発明は、中間配線盤および伝送システムに関し、特に、受信レベルの規定値と送信レベルの規定値とが異なる信号のレベル調整用の減衰器を備えた中間配線盤およびそれを備えた伝送システムに関する。
【背景技術】
【０００２】
従来、図８に示すように、受信レベルの規定値と送信レベルの規定値とが異なる音声信号をＡ局とＣ局との間で中継するＢ局では、音声信号のレベル調整用の減衰器がそれぞれ内蔵されたｎ個のチャンネル盤（以下、「ＣＨ盤」と称する。）１１０11〜１１０1nを備えたＡ局向けの第１の伝送装置１００1と、音声信号のレベル調整用の減衰器がそれぞれ内蔵されたｎ個のＣＨ盤１１０21〜１１０2nを備えたＣ局向けの第２の伝送装置１００2と、第１の伝送装置１００1からの信号線と第２の伝送装置１００2からの信号線とを接続するｍ個の端子盤２１０1〜２１０mを備えた中間配線盤（ＩＤＦ）２００とが設けられている。
【０００３】
中間配線盤２００の端子盤２１０1〜２１０mはそれぞれ、図９（ａ），（ｂ）に示すように、絶縁板２１１と、絶縁板２１１の表面および裏面に縦横に等間隔に格子状にそれぞれ設けられたＮ×Ｍ本のハニカム端子２１２11a〜２１２NMa，２１２11b〜２１２NMbとを備えている。ここで、絶縁板２１１の表面のハニカム端子２１２11a〜２１２NMaと絶縁板２１１の裏面のハニカム端子２１２11b〜２１２NMbとの互いに対向するもの同士は、１本の導電性の金属の棒からなり、電気的に接続可能とされている。
【０００４】
第１の伝送装置１００1によって受信されたＡ局からの音声信号を中間配線盤２００の端子盤２１０1を介して第２の伝送装置１００2に送る場合には、図１０（ａ）に示すように、端子盤２１０1の絶縁板２１１の裏面の２本のハニカム端子２１２11b，２１２12bに第１の伝送装置１００1からの２本の信号線３１０1，３１０2（１つの音声信号に２本の信号線を使用する。）を接続し、端子盤２１０1の絶縁板２１１の裏面の２本のハニカム端子２１２N1b，２１２N2bに第２の伝送装置１００2からの２本の信号線３２０1，３２０2を接続するとともに、図１０（ｂ）に示すように、端子盤２１０1の絶縁板２１１の表面の２本のハニカム端子２１２11a，２１２12aと２本のハニカム端子２１２N1a，２１２N2aとを２本のジャンパー線４１０1，４１０2を用いてそれぞれ接続する。
【０００５】
また、たとえば、図１１に示すように、Ａ局とＣ局との間の音声信号の中継を行うときのＢ局における受信レベル（Ａ局またはＣ局から受信する音声信号のレベル）が＋４ｄＢｍと規定され、Ｂ局における送信レベル（Ａ局またはＣ局に向けて送信する音声信号のレベル）が−８ｄＢｍと規定されている場合には、中間配線盤２００では音声信号のレベルを０ｄＢｍに統一するために、Ａ局からの＋４ｄＢｍの音声信号は、第１の伝送装置１００1のＣＨ盤１１０11に内蔵されている４ｄＢ減衰器１１１11で４ｄＢほど減衰されて０ｄＢｍのレベルで中間配線盤２００に送られたのちに、第２の伝送装置１００2に送られる。その後、第２の伝送装置１００2に送られたＡ局からの音声信号は、第２の伝送装置１００2のＣＨ盤１１０21に内蔵されている８ｄＢ減衰器１１２21で８ｄＢほど減衰されて−８ｄＢｍのレベルでＣ局に向けて送信される。
同様に、Ｃ局からの＋４ｄＢｍの音声信号は、第２の伝送装置１００2のＣＨ盤１１０21に内蔵されている４ｄＢ減衰器１１１21で４ｄＢほど減衰されて０ｄＢｍのレベルで中間配線盤２００に送られたのちに、第１の伝送装置１００1に送られる。その後、第１の伝送装置１００1に送られたＣ局からの音声信号は、第１の伝送装置１００1のＣＨ盤１１０11に内蔵されている８ｄＢ減衰器１１２11で８ｄＢほど減衰されて−８ｄＢｍのレベルでＡ局に向けて送信される。
【０００６】
さらに、たとえば、図１１に示すように、Ｄ局とＥ局との間の音声信号の中継を行うときのＢ局における受信レベル（Ｄ局またはＥ局から受信する音声信号のレベル）が０ｄＢｍと規定され、Ｂ局における送信レベル（Ｄ局またはＥ局に向けて送信する音声信号のレベル）が−８ｄＢｍと規定されている場合には、Ｄ局からの０ｄＢｍの音声信号は、第１の伝送装置１００1のＣＨ盤１１０11では減衰されることなく中間配線盤２００に送られたのちに、第２の伝送装置１００2に送られる。その後、第２の伝送装置１００2に送られたＤ局からの音声信号は、第２の伝送装置１００2のＣＨ盤１１０21に内蔵されている８ｄＢ減衰器１１２22で８ｄＢほど減衰されて−８ｄＢｍのレベルでＥ局に向けて送信される。
同様に、Ｅ局からの０ｄＢｍの音声信号は、第２の伝送装置１００2のＣＨ盤１１０21では減衰されることなく中間配線盤２００に送られたのちに、第１の伝送装置１００1に送られる。その後、第１の伝送装置１００1に送られたＥ局からの音声信号は、第１の伝送装置１００1のＣＨ盤１１０11に内蔵されている８ｄＢ減衰器１１２12で８ｄＢほど減衰されて−８ｄＢｍのレベルでＤ局に向けて送信される。
【０００７】
なお、下記の特許文献１には、各ゾーンのゾーンボックス内のターミナルの結線状態および機能を容易に変更できるとともに一見して分かるようにするために、交換コードにより、中間配線盤における機能別に固定割付けされた一次側端子群の所望の端子と、各ゾーンおよびターミナルの順列に従って固定割付けされた二次側端子群の所望の端子とを接続した統合配線システムが開示されている。
【特許文献１】特開平６−１２１３４８号公報
【発明の開示】
【発明が解決しようとする課題】
【０００８】
しかしながら、近年の多チャンネル化に伴って、第１および第２の伝送装置１００1，１００2のＣＨ盤１１０11〜１１０1n，１１０21〜１１０2nは、１個のＣＨ盤当り２回線以上の回路（減衰器を含む。）が形成されて構成される。そのため、たとえば、図１１に示した例において、Ａ局とＣ局との間の回線に運用が開始されたのちにＤ局とＥ局との間の新たな回線が追加される場合には、ＣＨ盤１１０11およびＣＨ盤１１０21を第１および第２の伝送装置１００1，１００2からそれぞれ引き抜いて、Ｄ局とＥ局との間の新たな回線についてのレベル調整用の減衰器として８ｄＢ減衰器１１２12，１１２22をそれぞれ設定する必要があるが、ＣＨ盤１１０11およびＣＨ盤１１０21を引き抜くと運用中のＡ局とＣ局との間の回線が停止してしまうので、事前に停止のための手続を行わなければならないという問題があった。
また、レベル調整用の減衰器がＣＨ盤１１０11〜１１０1n，１１０21〜１１０2nの奥に取り付けられており、一目で減衰量の確認ができないという問題があった。
【０００９】
このような問題を解決する方法として、第１および第２の伝送装置１００1，１００2のＣＨ盤１１０11〜１１０1n，１１０21〜１１０2nを回線ごとに構成することも考えられるが、近年の多チャンネル化を考慮すると、ＣＨ盤の数が増えて第１および第２の伝送装置１００1，１００2が大型化してしまうため、このような方法を採ることは好ましくない。
【００１０】
本発明の目的は、運用中の回線を停止することなく信号レベル調整用の減衰器の設定を行うことができる中間配線盤およびそれを備えた伝送システムを提供することにある。
【課題を解決するための手段】
【００１１】
本発明の中間配線盤は、第１の信号線と第２の信号線とを接続して信号を中継するための中間配線盤であって、信号のレベル調整用の減衰器を備えた端子盤を具備することを特徴とする。
ここで、前記第１の信号線と前記第２の信号線とを接続するための端子盤（２０1〜２０m）と、所定の減衰量の減衰器（３３1〜３３j/2，３４1〜３４j/2）が取り付けられた、かつ、前記端子盤から送られてくる前記信号を前記減衰器で減衰させたのちに該端子盤に送り返すための減衰器付き端子盤（３０1〜３０m）とを具備してもよい。
前記信号の受信レベルの規定値と送信レベルの規定値とが異なり、前記減衰器が、前記受信レベルの規定値と前記送信レベルの規定値との差に対応する減衰量で前記信号を減衰してもよい。
前記信号の受信レベルの規定値および／または送信レベルの規定値が２つ以上設けられており、前記減衰器付き端子盤に、前記受信レベルの規定値と前記送信レベルの規定値との差の組合せに対応する数の種類の減衰器が取り付けられていてもよい。
前記減衰器付き端子盤が絶縁板（３１）を備え、前記減衰器が、前記絶縁板の表面または裏面に取り付けられていてもよい。
前記端子盤が、他の絶縁板（２１）と、該他の絶縁板の表面および裏面に設けられた複数本のハニカム端子（２２11a〜２２NMa，２２11b〜２２NMb）とを備え、前記減衰器付き端子盤が、前記絶縁板の表面に設けられた複数本の他のハニカム端子（３２11〜３２4j）をさらに備え、前記減衰器が、前記減衰器付き端子盤の異なる他のハニカム端子にそれぞれ接続された入力端子および出力端子を有し、前記第１および第２の信号線が前記端子盤の前記他の絶縁板の裏面に設けられた異なるハニカム端子にそれぞれ接続され、前記第１の信号線が接続されたハニカム端子と電気的に接続された前記端子盤の前記他の絶縁板の表面に設けられたハニカム端子と前記減衰器の入力端子が接続された前記減衰器付き端子盤の他のハニカム端子とがジャンパー線を介して接続されるとともに、前記第２の信号線が接続されたハニカム端子と電気的に接続された前記端子盤の前記他の絶縁板の表面に設けられたハニカム端子と前記減衰器の出力端子が接続された前記減衰器付き端子盤の他のハニカム端子とが他のジャンパー線を介して接続されていてもよい。
また、前記第１の信号線と前記第２の信号線とを接続するための端子盤（２０1〜２０m）に、前記信号を減衰するための可変減衰器が取り付けられていてもよい。
この場合には、前記端子盤が、絶縁板（２１）と、該絶縁板の表面および裏面に設けられた複数本のハニカム端子（２２11a〜２２NMa，２２11b〜２２NMb）とを備え、前記第１および第２の信号線が前記絶縁板の裏面または表面に設けられた異なるハニカム端子にそれぞれ接続され、前記第１の信号線が接続されたハニカム端子と電気的に接続された前記絶縁板の表面または裏面に設けられたハニカム端子と前記第２の信号線が接続されたハニカム端子と電気的に接続された前記絶縁板の表面または裏面に設けられたハニカム端子との間に、前記可変減衰器が取り付けられていてもよい。
【００１２】
本発明の伝送システムは、受信レベルの規定値と送信レベルの規定値とが異なる信号を第１の局と第２の局との間で中継するための伝送システム（６０）であって、前記第１の局との間で前記信号の送受信を行う第１の伝送装置（７０1）と、前記第２の局との間で前記信号の送受信を行う第２の伝送装置（７０2）と、前記第１の伝送装置と前記第２の伝送装置との間に設けられた中間配線盤（１０）とを具備し、前記中間配線盤が、本発明の中間配線盤であることを特徴とする。
【発明の効果】
【００１３】
本発明の中間配線盤および伝送システムは、中間配線盤に設けた端子盤と減衰器付き端子盤との接続を変更するだけでまたは可変減衰器の減衰量を変更するだけで減衰器の設定を行えるので、運用中の回線を停止することなく信号レベル調整用の減衰器の設定を行うことができるという効果を奏する。
【発明を実施するための最良の形態】
【００１４】
運用中の回線を停止することなく信号レベル調整用の減衰器の設定を行うという目的を、信号のレベル調整用の減衰器を備えた端子盤を中間配線盤に設けることにより実現した。
【実施例１】
【００１５】
以下、本発明の中間配線盤の実施例について、図面を参照して説明する。
本発明の一実施例による中間配線盤１０は、図１に示すように、ｍ個の端子盤２０1〜２０mと、ｍ個の減衰器付き端子盤３０1〜３０mとを具備する。
【００１６】
端子盤２０1〜２０mは、図８に示した端子盤２１０1〜２１０mと同様に構成されており、図２に示すように、絶縁板２１と、絶縁板２１の表面および裏面に縦横に等間隔に格子状にそれぞれ設けられたＮ×Ｍ本のハニカム端子２２11a〜２２NMa，２２11b〜２２NMbとを備えている。絶縁板２１の表面のハニカム端子２２11a〜２２NMaと絶縁板２１の裏面のハニカム端子２２11b〜２２NMbとの互いに対向するもの同士は、１本の導電性の金属の棒からなり、電気的に接続可能とされている。
【００１７】
減衰器付き端子盤３０1〜３０mは、図３に示すように、絶縁板３１と、絶縁板３１の表面に縦横に格子状に設けられた４×ｊ本のハニカム端子３２11〜３２4jと、絶縁板３１の表面の第１列目のハニカム端子３２11〜３２1jと第２列目のハニカム端子３２21〜３２2jとの間に取り付けられた第１乃至第ｊ／２の１２ｄＢ減衰器３３1〜３３j/2と、絶縁板３１の表面の第３列目のハニカム端子３２31〜３２3jと第４列目のハニカム端子３２41〜３２4jとの間に取り付けられた第１乃至第ｊ／２の８ｄＢ減衰器３４1〜３４j/2とを備える。
中間配線盤１０は第１乃至第ｊ／２の１２ｄＢ減衰器３３1〜３３j/2および第１乃至第ｊ／２の８ｄＢ減衰器３４1〜３４j/2を減衰器付き端子盤３０1〜３０mに備えているので、作業員はレベル調整用の減衰器の減衰量を一目で確認することができる。
【００１８】
第１乃至第ｊ／２の１２ｄＢ減衰器３３1〜３３j/2はそれぞれ、第１列目の縦方向に隣り合う２本のハニカム端子（たとえば、ハニカム端子３２11とハニカム端子３２12）にそれぞれ接続された２つの入力端子と、第２列目のこの２本のハニカム端子と横方向に隣り合う２本のハニカム端子（たとえば、ハニカム端子３２21とハニカム端子３２22）にそれぞれ接続された２つの出力端子とを有する。
【００１９】
また、第１乃至第ｊ／２の８ｄＢ減衰器３４1〜３４j/2はそれぞれ、第３列目の縦方向に隣り合う２本のハニカム端子（たとえば、ハニカム端子３２31とハニカム端子３２32）にそれぞれ接続された２つの入力端子と、第４列目のこの２本のハニカム端子と横方向に隣り合う２本のハニカム端子（たとえば、ハニカム端子３２41とハニカム端子３２42）にそれぞれ接続された２つの出力端子とを有する。
【００２０】
次に、中間配線盤１０を備えた本発明の一実施例による伝送システム６０について、図４乃至図６を参照して説明する。
本実施例による伝送システム６０は、図４に示すように、受信レベルの規定値と送信レベルの規定値とが異なる音声信号をＡ局とＣ局との間で中継するＢ局に設けられており、ｎ個のＣＨ盤７１11〜７１1nを備えたＡ局向けの第１の伝送装置７０1と、ｎ個のＣＨ盤７１21〜７１2nを備えたＣ局向けの第２の伝送装置７０2と、第１の伝送装置７０1からの信号線と第２の伝送装置７０2からの信号線とを接続するための図１に示した中間配線盤１０とを具備する。
【００２１】
第１および第２の伝送装置７０1，７０2は、ＣＨ盤７１11〜７１1n，７１21〜７１2nに音声信号のレベル調整用の減衰器が内蔵されていない点で、図８に示した第１および第２の伝送装置１００1，１００2と異なる。
【００２２】
たとえば、Ａ局とＣ局との間の音声信号の中継を行うときのＢ局における受信レベルおよび送信レベルが＋４ｄＢｍおよび−８ｄＢｍとそれぞれ規定されている場合に伝送システム６０を用いてＡ局からの音声信号をＣ局に中継するとともにＣ局からの音声信号をＡ局に中継するときには、中間配線盤１０の端子盤２０1の絶縁板２１の裏面の２本のハニカム端子２２11b，２２12b（図２（ｂ）参照）に第１の伝送装置７０1からの２本の信号線（不図示）を接続し、端子盤２０1の絶縁板２１の裏面の２本のハニカム端子２２N1b，２２N2bに第２の伝送装置７０2からの２本の信号線（不図示）を接続する。
【００２３】
また、図５に太線で示すように、中間配線盤１０の端子盤２０1の絶縁板２１の表面の２本のハニカム端子２２11a，２２12aと減衰器付き端子盤３０1の２本のハニカム端子３２11，３２12とを２本のジャンパー線４１1，４１2を用いてそれぞれ接続するとともに、中間配線盤１０の端子盤２０1の絶縁板２１の表面の２本のハニカム端子２２N1a，２２N2aと減衰器付き端子盤３０1の２本のハニカム端子３２21，３２22とを２本のジャンパー線４１3，４１4を用いてそれぞれ接続する。同様に、中間配線盤１０の端子盤２０1の絶縁板２１の表面の２本のハニカム端子２２13a，２２14aと減衰器付き端子盤３０1の２本のハニカム端子３２13，３２14とを２本のジャンパー線４１5，４１6を用いてそれぞれ接続するとともに、中間配線盤１０の端子盤２０1の絶縁板２１の表面の２本のハニカム端子２２N3a，２２N4aと減衰器付き端子盤３０1の２本のハニカム端子３２23，３２24とを２本のジャンパー線４１7，４１8を用いてそれぞれ接続する。
【００２４】
これにより、図６に示すように、Ａ局からの＋４ｄＢｍの音声信号は、第１の伝送装置７０1のＣＨ盤７１11で受信されて中間配線盤１０に送られ、第１の１２ｄＢ減衰器３３1で１２ｄＢほど減衰されて−８ｄＢｍのレベルで第２の伝送装置７０2のＣＨ盤７１21に送られたのち、Ｃ局に向けて送信される。同様に、Ｃ局からの＋４ｄＢｍの音声信号は、第２の伝送装置７０2のＣＨ盤７１21で受信されて中間配線盤１０に送られ、第２の１２ｄＢ減衰器３３2で１２ｄＢほど減衰されて−８ｄＢｍのレベルで第１の伝送装置７０1のＣＨ盤７１11に送られたのち、Ａ局に向けて送信される。
【００２５】
後日に、たとえば、Ｂ局における受信レベルおよび送信レベルが０ｄＢｍおよび−８ｄＢｍとそれぞれ規定されているＤ局とＥ局との間の音声信号中継用回線を新たに追加するときには、中間配線盤１０の端子盤２０1の絶縁板２１の裏面の２本のハニカム端子２２15b，２２16bに第１の伝送装置７０1からの２本の信号線（不図示）を接続し、端子盤２０1の絶縁板２１の裏面の２本のハニカム端子２２N5b，２２N6bに第２の伝送装置７０2からの２本の信号線（不図示）を接続する。
【００２６】
また、図５に太破線で示すように、中間配線盤１０の端子盤２０1の絶縁板２１の表面の２本のハニカム端子２２15a，２２16aと減衰器付き端子盤３０1の２本のハニカム端子３２35，３２36とを２本のジャンパー線４１9，４１10を用いてそれぞれ接続するとともに、中間配線盤１０の端子盤２０1の絶縁板２１の表面の２本のハニカム端子２２N5a，２２N6aと減衰器付き端子盤３０1の２本のハニカム端子３２45，３２46とを２本のジャンパー線４１11，４１12を用いてそれぞれ接続する。同様に、中間配線盤１０の端子盤２０1の絶縁板２１の表面の２本のハニカム端子２２17a，２２18aと減衰器付き端子盤３０1の２本のハニカム端子３２37，３２38とを２本のジャンパー線４１13，４１14を用いてそれぞれ接続するとともに、中間配線盤１０の端子盤２０1の絶縁板２１の表面の２本のハニカム端子２２N7a，２２N8aと減衰器付き端子盤３０1の２本のハニカム端子３２47，３２48とを２本のジャンパー線４１15，４１16を用いてそれぞれ接続する。
【００２７】
これにより、Ｄ局からの０ｄＢｍの音声信号は、図６に示すように、第１の伝送装置７０1のＣＨ盤７１11で受信されて中間配線盤１０に送られ、第３の８ｄＢ減衰器３４3で８ｄＢほど減衰されて−８ｄＢｍのレベルで第２の伝送装置７０2のＣＨ盤７１21に送られたのち、Ｅ局に向けて送信される。同様に、Ｅ局からの０ｄＢｍの音声信号は、第２の伝送装置７０2のＣＨ盤７１21で受信されて中間配線盤１０に送られ、第４の８ｄＢ減衰器３４4で８ｄＢほど減衰されて−８ｄＢｍのレベルで第１の伝送装置７０1のＣＨ盤７１11に送られたのち、Ｄ局に向けて送信される。
【００２８】
以上の説明では、第１乃至第ｊ／２の１２ｄＢ減衰器３３1〜３３j/2と第１乃至第ｊ／２の８ｄＢ減衰器３４1〜３４j/2とを減衰器付き端子盤３０1〜３０mの表面に取り付けたが、ハニカム端子３２11〜３２4jを絶縁板３１を貫通させて減衰器付き端子盤３０1〜３０mの裏面に取り付けてもよい。
【００２９】
また、レベル調整用の減衰器として第１乃至第ｊ／２の１２ｄＢ減衰器３３1〜３３j/2および第１乃至第ｊ／２の８ｄＢ減衰器３４1〜３４j/2のような減衰量が固定のものを用いたが、必要な減衰量に応じて減衰量を自由に可変することができる可変減衰器を用いてもよい。
【００３０】
さらに、減衰器付き端子盤３０1〜３０mの表面に第１乃至第ｊ／２の１２ｄＢ減衰器３３1〜３３j/2と第１乃至第ｊ／２の８ｄＢ減衰器３４1〜３４j/2とを区別できる表示手段を設けておいてもよい。この場合には、作業員が第１乃至第ｊ／２の１２ｄＢ減衰器３３1〜３３j/2と第１乃至第ｊ／２の８ｄＢ減衰器３４1〜３４j/2とを間違えて端子盤２０1〜２０mの表面のハニカム端子２２11a〜２２NMaと減衰器付き端子盤３０1〜３０mのハニカム端子３２11〜３２4jとを接続することを防止することができる。
【００３１】
さらにまた、第１乃至第ｊ／２の１２ｄＢ減衰器３３1〜３３j/2と第１乃至第ｊ／２の８ｄＢ減衰器３４1〜３４j/2とを減衰器付き端子盤３０1〜３０mにそれぞれ取り付けたが、図７に示すように、（Ｎ／２）×（Ｍ／２）個の可変減衰器５１11〜５１N/2M/2を端子盤２０1〜２０mの表面にそれぞれ取り付けてもよい。
【００３２】
このように構成された端子盤２０1〜２０mを備えた中間配線盤（不図示）において、たとえば、Ａ局とＣ局との間の音声信号の中継を行うときのＢ局における受信レベルおよび送信レベルが＋４ｄＢｍおよび−８ｄＢｍとそれぞれ規定されている場合にＡ局からの音声信号をＣ局に中継するとともにＣ局からの音声信号をＡ局に中継するときには、作業員は、中間配線盤の端子盤２０1の絶縁板２１の裏面の２本のハニカム端子２２11b，２２12b（図２（ｂ）参照）に第１の伝送装置７０1からの２本の信号線を接続し、端子盤２０1の絶縁板２１の裏面の２本のハニカム端子２２21b，２２22b（図２（ｂ）参照）に第２の伝送装置７０2からの２本の信号線を接続し、中間配線盤の端子盤２０1の絶縁板２１の裏面の２本のハニカム端子２２13b，２２14b（図２（ｂ）参照）に第１の伝送装置７０1からの２本の信号線を接続し、端子盤２０1の絶縁板２１の裏面の２本のハニカム端子２２23b，２２24b（図２（ｂ）参照）に第２の伝送装置７０2からの２本の信号線を接続するとともに、図７図示左上の４本のハニカム端子２２11a，２２12a，２２21a，２２22aの間に取り付けられた可変減衰器５１11の減衰量と図７図示左上から２番目の４本のハニカム端子２２13a，２２14a，２２23a，２２24aの間に取り付けられた可変減衰器５１12の減衰量とを１２ｄＢに設定する。
【００３３】
これにより、図６に示した中間配線盤１０と同様に、Ａ局からの＋４ｄＢｍの音声信号は、第１の伝送装置７０1のＣＨ盤７１11で受信されてこの中間配線盤に送られ、可変減衰器５１11で１２ｄＢほど減衰されて−８ｄＢｍのレベルで第２の伝送装置７０2のＣＨ盤７１21に送られたのち、Ｃ局に向けて送信される。同様に、Ｃ局からの＋４ｄＢｍの音声信号は、第２の伝送装置７０2のＣＨ盤７１21で受信されてこの中間配線盤に送られ、可変減衰器５１12で１２ｄＢほど減衰されて−８ｄＢｍのレベルで第１の伝送装置７０1のＣＨ盤７１11に送られたのち、Ａ局に向けて送信される。
【００３４】
後日に、たとえば、Ｂ局における受信レベルおよび送信レベルが０ｄＢｍおよび−８ｄＢｍとそれぞれ規定されているＤ局とＥ局との間の音声信号中継用回線を新たに追加するときには、この中間配線盤の端子盤２０1の絶縁板２１の裏面の２本のハニカム端子２２15b，２２16b（図２（ｂ）参照）に第１の伝送装置７０1からの２本の信号線を接続し、端子盤２０1の絶縁板２１の裏面の２本のハニカム端子２２25b，２２26b（図２（ｂ）参照）に第２の伝送装置７０2からの２本の信号線を接続するとともに、図７図示左の上から３番目の４本のハニカム端子２２15a，２２16a，２２25a，２２26aの間に取り付けられた可変減衰器５１13の減衰量と図７図示左の上から４番目の４本のハニカム端子２２17a，２２18a，２２27a，２２28aの間に取り付けられた可変減衰器５１14の減衰量とを８ｄＢに設定する。
【００３５】
これにより、図６に示した中間配線盤１０と同様に、Ｄ局からの０ｄＢｍの音声信号は、第１の伝送装置７０1のＣＨ盤７１11で受信されてこの中間配線盤に送られ、可変減衰器５１13で８ｄＢほど減衰されて−８ｄＢｍのレベルで第２の伝送装置７０2のＣＨ盤７１21に送られたのち、Ｅ局に向けて送信される。同様に、Ｅ局からの０ｄＢｍの音声信号は、第２の伝送装置７０2のＣＨ盤７１21で受信されてこの中間配線盤に送られ、可変減衰器５１14で８ｄＢほど減衰されて−８ｄＢｍのレベルで第１の伝送装置７０1のＣＨ盤７１11に送られたのち、Ｄ局に向けて送信される。
【００３６】
このような（Ｎ／２）×（Ｍ／２）個の可変減衰器５１11〜５１N/2M/2が表面に取り付けられた端子盤２０1〜２０mを備えることにより、作業員は図５に示したようなジャンパー線４１1〜４１16による接続を行う必要がなくなる。また、チャンネルと１対１で可変減衰器５１11〜５１N/2M/2が取り付けられているので、作業員はそのチャンネルの減衰量を一目で分かることができる。
【００３７】
なお、（Ｎ／２）×（Ｍ／２）個の可変減衰器５１11〜５１N/2M/2を端子盤２０1〜２０mの裏面にそれぞれ取り付けて、信号線を端子盤２０1〜２０mの表面側のハニカム端子２２11a〜２２NMaに接続するようにしてもよい。
【産業上の利用可能性】
【００３８】
以上説明したように、本発明の中間配線盤および伝送システムは、たとえば、受信レベルの規定値と送信レベルの規定値とが異なる信号のレベル調整用の減衰器を備えた中間配線盤およびそれを備えた伝送システムとして利用することができる。
【図面の簡単な説明】
【００３９】
【図１】本発明の一実施例による中間配線盤１０の構成を示す図である。
【図２】図１に示した端子盤２０1〜２０mの構成を示す図である。
【図３】図１に示した減衰器付き端子盤３０1〜３０mの構成を示す図である。
【図４】本発明の一実施例による伝送システム６０の構成を示す図である。
【図５】図４に示した伝送システム６０における端子盤２０1と減衰器付き端子盤３０1との接続の一例を示す図である。
【図６】図４に示した伝送システム６０における音声信号の流れを説明するための図である。
【図７】本発明の中間配線盤の他の構成を示す図である。
【図８】中間配線盤２００を備えた従来の伝送システムの構成を示す図である。
【図９】図８に示した端子盤２１０1〜２１０mの構成を示す図である。
【図１０】図８に示した端子盤２１０1〜２１０mの使用方法を説明するための図である。
【図１１】図８に示した伝送システムにおける音声信号の流れを説明するための図である。
【符号の説明】
【００４０】
１０  中間配線盤
２０1〜２０m  端子盤
２１，３１  絶縁板
２２11a〜２２NMa，２２11b〜２２NMb，３２11〜３２4j  ハニカム端子
３０1〜３０m  減衰器付き端子盤
３３1〜３３j/2  第１乃至第ｊ／２の１２ｄＢ減衰器
３４1〜３４j/2  第１乃至第ｊ／２の８ｄＢ減衰器
４１1〜４１16  ジャンパー線
５１11〜５１N/2M/2  可変減衰器
６０  伝送システム
７０1，７０2  第１および第２の伝送装置
７１11〜７１1n，７１21〜７１2n  ＣＨ盤
【図１】
2007214616.tif 000003
【図２】
2007214616.tif 000004
【図３】
2007214616.tif 000005
【図４】
2007214616.tif 000006
【図５】
2007214616.tif 000007
【図６】
2007214616.tif 000008
【図７】
2007214616.tif 000009
【図８】
2007214616.tif 000010
【図９】
2007214616.tif 000011
【図１０】
2007214616.tif 000012
【図１１】
2007214616.tif 000013